(57)【要約】【課題】締め付けるように包装された物品を容易に取り出せるようにする。【解決手段】天面板１、後面板２、底面板３及び前面板４を順次連設して物品Ｇを包み込み、天面板１の前端に連設した継代片５を前面板４の外面上部に貼り付け、端面を閉じて封緘するものとし、継代片５には、切目線８に挟まれた引裂開始部９を形成し、天面板１には、引裂開始部９に続いて切目線１０に挟まれた蓋板部１１を形成し、前面板４には、上端からの切目線１３に挟まれた前開部１４を形成しておき、引裂開始部９から蓋板部１１を切目線８，１０に沿って上方へ切り開き、前開部１４を切目線１３に沿って前方へ切り開いて物品Ｇを取り出すラップラウンド箱において、継代片５には、引裂開始部９を形成する切目線８を曲げて係合突起１２を形成し、前開部１４を前方へ開くと、前開部１４の側部が係合突起１２に係合するようにし、前開部１４の反発による戻りを防止する。【選択図】図４
2015040056.tif 000002
【特許請求の範囲】
【請求項１】
天面板（１）、後面板（２）、底面板（３）及び前面板（４）を順次連設して物品を包み込み、天面板（１）の前端に連設した継代片（５）を前面板（４）の外面上部に貼り付け、端面を閉じて封緘するものとし、継代片（５）には、切目線（８）に挟まれた引裂開始部（９）を形成し、天面板（１）には、引裂開始部（９）に続いて切目線（１０）に挟まれた蓋板部（１１）を形成し、前面板（４）には、上端からの切目線（１３）に挟まれた前開部（１４）を形成しておき、引裂開始部（９）から蓋板部（１１）を切目線（８，１０）に沿って上方へ切り開き、前開部（１４）を切目線（１３）に沿って前方へ切り開いて物品を取り出すラップラウンド箱において、継代片（５）には、引裂開始部（９）を形成する切目線（８）を曲げて係合突起（１２）を形成し、前開部（１４）を前方へ開くと、前開部（１４）の側部が係合突起（１２）に係合するようにしたことを特徴とするラップラウンド箱。
【請求項２】
請求項１に記載のラップラウンド箱において、天面板（１）の蓋板部（１１）と後面板（２）とに跨がった切目線（１６）の間を蓋ロック部（１８）とし、蓋ロック部（１８）には、後面板（２）側に蓋板部（１１）側よりも側方へ張り出す係止凸部（１８ａ）を形成し、蓋板部（１１）を上方へ開いて後方へ折り返した状態で、蓋ロック部（１８）の後面板（２）側と蓋板部（１１）側とを共に後方へ折り曲げると、蓋ロック部（１８）の係止凸部（１８ａ）が蓋板部（１１）側の抜出縁に係合するようにしたことを特徴とするラップラウンド箱。
【発明の詳細な説明】
【技術分野】
【０００１】
この発明は、物品を包み込むように包装するラップラウンド箱に関するものである。
【背景技術】
【０００２】
段ボール製のラップラウンド箱として、下記特許文献１には、図５に示すようなものが記載されている。このラップラウンド箱は、天面板５１、後面板５２、底面板５３及び前面板５４を順次連設し、天面板５１の前端縁に継代片５５を連設し、底面板５３から前面板５４及び後面板５２を起立させ、天面板５１を前方へ折り曲げて物品を包み込み、継代片５５を下方へ折り曲げて前面板５４の外面上部に貼り付け、両端面を端フラップ５６，５７で閉じて封緘状態とするものである。
【０００３】
このラップラウンド箱において、継代片５５には、先端から基端への対をなす切目線５８に挟まれた引裂開始部５９が形成され、天面板５１には、引裂開始部５９の両側の切目線５８に続いて後方へ延びる切目線６０に挟まれた蓋板部６１が形成され、前面板５４には、上端から下端への対をなす切目線６２に挟まれて上部が引裂開始部５９に重なる前開部６３が形成されている。引裂開始部５９と前開部６３とは貼着されず、後面板５２の上部には、包装する物品の形状に応じて、面取り状の傾斜部５２ａが形成されている。
【０００４】
上記のようなラップラウンド箱を開封する際には、図６に示すように、引裂開始部５９から蓋板部６１を切目線５８，６０に沿って上方へ切り開き、これに伴って傾斜部５２ａを開き、次に、前開部６３を切目線６２に沿って前方へ切り開くと、巻き込むように締め付けられていた物品Ｇを、前面板５４に形成された開口部から前方へスライドさせて容易に取り出すことができる。
【先行技術文献】
【特許文献】
【０００５】
【特許文献１】特開２０１１−９３６０１号公報
【発明の概要】
【発明が解決しようとする課題】
【０００６】
しかしながら、上記のようなラップラウンド箱では、切目線６２が前面板５４の下端まで達していることから、包装強度が低下するおそれがある。このため、切目線６２を短くすると、前方へ切り開いた前開部６３が反発で戻りやすくなり、物品が取り出しにくくなるという問題が生じる。
【０００７】
そこで、この発明は、包装強度を確保しつつ、締め付けるように包装された物品を容易に取り出せるラップラウンド箱を提供しようとするものである。
【課題を解決するための手段】
【０００８】
上記課題を解決するため、この発明は、天面板、後面板、底面板及び前面板を順次連設して物品を包み込み、天面板の前端に連設した継代片を前面板の外面上部に貼り付け、端面を閉じて封緘するものとし、継代片には、切目線に挟まれた引裂開始部を形成し、天面板には、引裂開始部に続いて切目線に挟まれた蓋板部を形成し、前面板には、上端からの切目線に挟まれた前開部を形成しておき、引裂開始部から蓋板部を切目線に沿って上方へ切り開き、前開部を切目線に沿って前方へ切り開いて物品を取り出すラップラウンド箱において、継代片には、引裂開始部を形成する切目線を曲げて係合突起を形成し、前開部を前方へ開くと、前開部の側部が係合突起に係合するようにしたのである。
【０００９】
また、天面板の蓋板部と後面板とに跨がった切目線の間を蓋ロック部とし、蓋ロック部には、後面板側に蓋板部側よりも側方へ張り出す係止凸部を形成し、蓋板部を上方へ開いて後方へ折り返した状態で、蓋ロック部の後面板側と蓋板部側とを共に後方へ折り曲げると、蓋ロック部の係止凸部が蓋板部側の抜出縁に係合するようにしたのである。
【発明の効果】
【００１０】
この発明に係るラップラウンド箱では、前開部を形成する切目線を短くして包装強度を確保した場合に、開封状態において、前方へ開いた前開部が反発で戻ろうとしても、係合突起との係合により阻止されて、開いた状態に保持され、天面から前面の一部へかけて物品が露出した状態となるので、物品を把持して容易に取り出すことができる。
【００１１】
また、上方へ開いて後方へ折り返した蓋板部を、蓋ロック部の折り曲げにより、開いた状態に保持できるので、反発で閉じようとする蓋板部に煩わされることがなく、蓋ロック部の抜け出しにより後面の一部でも物品が露出するので、その部分からも手を入れ、物品を確実に把持して取り出すことができる。
【図面の簡単な説明】
【００１２】
【図１】この発明の実施形態に係るラップラウンド箱のブランクを示す図
【図２】同上の封緘状態を示す斜視図
【図３】同上の開封過程を示す斜視図
【図４】同上の開封状態を示す斜視図
【図５】従来のラップラウンド箱の封緘状態を示す斜視図
【図６】同上の開封状態を示す斜視図
【発明を実施するための形態】
【００１３】
以下、この発明の実施形態を添付図面に基づいて説明する。
【００１４】
図１に示す段ボール製のブランクでは、長方形状の天面板１の一方の長辺に後面板２、底面板３及び前面板４が順次連設され、天面板１の他方の長辺に、継代片５が連設されている。後面板２及び前面板４の両側には端フラップ６が、天面板１及び底面板３の両側には端フラップ７がそれぞれ連設されている。
【００１５】
継代片５の中間部分には、先端から基端への対をなす切目線８に挟まれた引裂開始部９が形成され、天面板１には、引裂開始部９の両側をなす切目線８に続いて斜め外側後方へ延び、端フラップ７との境界に沿って後面板２との境界まで延びる切目線１０に挟まれた蓋板部１１が形成されている。
【００１６】
継代片５に入れた切目線８は、中間部が内側へ迫り出すようにＶ字状に屈曲しており、これにより、三角形状の係合突起１２が形成されている。切目線８には、流通過程での引裂開始部９の捲れを防止するため、繋部が設けられている。
【００１７】
蓋板部１１の両側の切目線１０は、鉤状の切目が断続するジッパー型とされ、蓋板部１１には、切目線１０の方向が変わる角部間に、開封時の屈曲を誘導する折目線１１ａが入れられている。
【００１８】
前面板４には、上端から下方への対をなすジッパー型の切目線１３に挟まれて、組立時に引裂開始部９に重なる前開部１４が形成されている。切目線１３は、引裂開始部９に対応して、前面板４の高さ方向の途中の位置で止まるものとされ、切目線１３の下端間に、前開部１４の揺動軸となる折目線１５が入れられている。折目線１５は、段ボールを表面から押圧した逆罫とされている。
【００１９】
また、このブランクでは、天面板１の蓋板部１１と後面板２とに跨って対をなす切目線１６が入れられ、対向する切目線１６の両端部間に折目線１７が入れられて、切目線１６及び折目線１７に囲まれた部分が蓋ロック部１８とされている。蓋ロック部１８には、後面板２側に蓋板部１１側よりも側方へ張り出す係止凸部１８ａが形成されている。
【００２０】
このようなブランクは、従来のラップラウンド箱と同様の用紙使用量で製造することができ、抜型に設ける切刃部材等をほとんど追加する必要がないので、製造コストが増大することがない。
【００２１】
上記のようなブランクを組み立てて個装された食品等の物品を包装する際には、図２に示すように、底面板３から前面板４及び後面板２を起立させ、天面板１を前方へ折り曲げて物品を包み込み、継代片５を下方へ折り曲げて、引裂開始部９の両側方で前面板４の外面上部に貼り付け、端フラップ６，７を貼り合わせて封緘状態とする。
【００２２】
このような封緘状態では、前開部１４を形成する切目線１３が前面板４の高さ方向の途中で止まっているので、流通過程で落下等による大きな衝撃が作用しても、段ボールが切目線１３から破断して大きく変形する事態が防止され、物品を保護することができる。
【００２３】
一方、物品を取り出すため開封する際には、図３に示すように、引裂開始部９を引っ張り、切目線８，１０に沿った切断に伴い、引裂開始部９から蓋板部１１を上方へ開いて、天面を開口させる。
【００２４】
そして、図４に示すように、蓋板部１１を後方へ折り返した状態で、蓋ロック部１８の後面板２側と蓋板部１１側とを共に後方へ折り曲げると、蓋ロック部１８の係止凸部１８ａが蓋板部１１側の抜出縁に係合し、蓋板部１１が開いた状態に保持される。このとき、蓋板部１１は、先端側が床面や卓上等の載置面に当接するが、折目線１１ａに沿って屈曲するので、折り返しが制限されることはない。
【００２５】
また、蓋板部１１の折り返しと共に、前面板４の前開部１４を、切目線１３に沿って切断し、折目線１５を揺動軸として手前に倒すように開き、前開部１４の抜出部分を開口させると、前開部１４の両側部が係合突起１２を乗り越えて、係合突起１２に係合し、前開部１４が開いた状態に保持される。
【００２６】
このように開封すると、天面板１における蓋板部１１の開放及び前面板４からの前開部１４の抜け出しにより、天面から前面及び後面の一部へかけて物品Ｇが露出した状態となり、前開部１４が反発で閉じる方向へ戻ることがなく、蓋板部１１が反発で閉じようとすることもないので、物品Ｇを確実に把持して容易に取り出すことができる。
【００２７】
なお、上記実施形態では、係合突起１２が三角形状としたものを例示したが、係合突起１２は、前開部１４の切り開きを阻害するような形状でなければ、半円状や台形状等、他の形状としてもよい。
【００２８】
また、継代片５の両方の切目線１３に臨む部分に係合突起１２を設けたものを例示したが、係合突起１２は、一方の切目線１３に臨む部分にのみ設けてもよい。
【００２９】
また、底面板３を床面や卓上等の載置面に置く横置き状態とする場合を例示したが、端フラップ６，７で閉止されたいずれかの端面を下に向けて載置面に置く縦置き状態としても、同様に開封して、物品を容易に取り出すことができる。
【符号の説明】
【００３０】
１  天面板
２  後面板
３  底面板
４  前面板
５  継代片
６，７  端フラップ
８  切目線
９  引裂開始部
１０  切目線
１１  蓋板部
１１ａ  折目線
１２  係合突起
１３  切目線
１４  前開部
１５  折目線
１６  切目線
１７  折目線
１８  蓋ロック部
１８ａ  係止凸部
Ｇ  物品
【図１】
2015040056.tif 000003
【図２】
2015040056.tif 000004
【図３】
2015040056.tif 000005
【図４】
2015040056.tif 000006
【図５】
2015040056.tif 000007
【図６】
2015040056.tif 000008